(57)【要約】【課題】ミトンが簡易な形状となるようにし、汚れた場合にも水洗いが簡単に行なえる簡易な構成のミトンを提供する。【解決手段】巻いて指一本の差し入れができる筒形態となる第一筒形成部４と、巻いて指二本の差し入れができる筒形態となる第二筒形成部５と、第一、第二筒形成部４、５を繋ぐ連結部６とが一体となった略エ字状のシート状物２と、シート状物２における第一筒形成部４両端部分を分離可能に止め付ける第一のクリップ８と、第二筒形成部５の両端部分を分離可能に止め付ける第二のクリップ９とからなる筒形状維持手段３とで、ミトン展開体１を得た。【選択図】図１
0003127632.tif 000002
【実用新案登録請求の範囲】
【請求項１】
略エ字状に形成されて柔軟な断熱性のある素材からなり、第一の方向に巻いて両端部分に開口した透孔の位置を重ね合わせたときに指一本の差し入れができる筒形態となる第一筒形成部と、前記第一筒形成部と平行であって前記第一の方向に巻いて両端部分に開口した透孔の位置を重ね合わせたときに指二本の差し入れができる筒形態となる第二筒形成部と、前記第一筒形成部の中央と前記第二筒形成部の中央との間に位置して前記第一の方向と直交する方向に亘って第一、第二筒形成部を繋ぐ連結部とが一体となったシート状物と、
前記シート状物における第一筒形成部の筒形態時に重ね合わせられる透孔に通して第一筒形成部の両端部分を分離可能に止め付ける第一のクリップと、第二筒形成部の筒形態時に重ね合わせられる透孔に通して第二筒形成部の両端部分を分離可能に止め付ける第二のクリップとからなる筒形状維持手段と
を備えたことを特徴とするミトン展開体。
【請求項２】
上記シート状物はシリコンゴムシートからなるものである請求項１に記載のミトン展開体。
【請求項３】
上記シート状物は透明、または半透明である請求項２に記載のミトン展開体。
【考案の詳細な説明】
【技術分野】
【０００１】
本考案は鍋掴みなどとして利用されるミトンを簡単に組むことができるミトン展開体に関するものである。
【背景技術】
【０００２】
従来から台所用具の一つとして、熱い鍋を取り扱う場合やオーブンから加熱された食品を皿、器ごと取り出す場合などにおいて手を保護するための耐熱性のあるミトンがあり、特許文献１に示されているように親指を入れる袋部分と四本の指を一緒に入れる袋部分とが分かれている形状としている。また、耐熱性の優れた素材としてシリコンゴムが従来から知られていて、これを素材として図３、４に示すように親指を入れる袋部分ａと他の四本の指を入れる袋部ｂとを対向配置して、予め挟み込み部分を狭くしている製品も提案されていた。
【特許文献１】実用新案登録第３０１２４４５号公報
【考案の開示】
【考案が解決しようとする課題】
【０００３】
しかしながら、従来の台所用具としたミトンでは、汚れた場合に水洗いなどをしようとしても、上記シリコンゴムのみからなるものであっても指が深く入る袋部を備えた形状であるために洗浄がし難く乾燥もさせ難いという問題があった。
そこで本考案は上記事情に鑑み、ミトンが簡易な形状となるようにすることを課題とし、汚れた場合にも水洗いが簡単に行なえる簡易な構成のミトンを提供することを目的とするものである。
【課題を解決するための手段】
【０００４】
本考案は上記課題を考慮してなされたもので、略エ字状に形成されて柔軟な断熱性のある素材からなり、第一の方向に巻いて両端部分に開口した透孔の位置を重ね合わせたときに指一本の差し入れができる筒形態となる第一筒形成部と、前記第一筒形成部と平行であって前記第一の方向に巻いて両端部分に開口した透孔の位置を重ね合わせたときに指二本の差し入れができる筒形態となる第二筒形成部と、前記第一筒形成部の中央と前記第二筒形成部の中央との間に位置して前記第一の方向と直交する方向に亘って第一、第二筒形成部を繋ぐ連結部とが一体となったシート状物と、前記シート状物における第一筒形成部の筒形態時に重ね合わせられる透孔に通して第一筒形成部の両端部分を分離可能に止め付ける第一のクリップと、第二筒形成部の筒形態時に重ね合わせられる透孔に通して第二筒形成部の両端部分を分離可能に止め付ける第二のクリップとからなる筒形状維持手段とを備えたことを特徴とするミトン展開体を提供して、上記課題を解消するものである。
そして本考案において、上記シート状物はシリコンゴムシートからなるものとすることが良好である。
また、上記シート状物は透明、または半透明とすることが良好である。
【考案の効果】
【０００５】
本考案によれば、第一、第二筒形成部それぞれを巻いて筒形態とし、筒形状支持手段で第一、第二筒形成部の両端それぞれを止めることで、親指と他の二本（例えば人差し指と中指）とを入れて、物を挟み持ちできるミトンとなる。そして、シート状物の形態が極めてシンプルなもので袋部なども存在しないため、洗浄や乾燥を行ない易く、清浄に保つことが容易になるなど、台所用具に適したミトンが得られる。
そして、シート状物をシリコンゴムシートとすることでこのシート状物を安価に得ることができる。
また、シート状物を透明、半透明とすることで、指先位置が目視できるミトンとなり、掴み操作がより確実に行なえるミトンが得られる。
【考案を実施するための最良の形態】
【０００６】
つぎに、本考案を図示の実施の形態に基づいて詳細に説明する。
図中１はミトン展開体で、該ミトン展開体１は略エ字状に形成されて柔軟にして断熱性のあるシリコンゴムシートからなる透明、又は半透明なシート状物２と、筒形状維持手段３とを備えてなるものである。なお、シート状物２は透明、または半透明であればよく、透視できるものであれば有色、無色の何れであってもよい。
上記シート状物２は三つの部分が一体となっているもので、第一の方向Ａに延びている第一筒形成部４と、同じく第一の方向Ａに延びて第一筒形成部４と平行としてこの第一筒形成部４より若干長い第二筒形成部５と、前記第一筒形成部４の中央と前記第二筒形成部５の中央との間に位置して前記第一の方向Ａと直交する方向に亘って第一、第二筒形成部４、５を繋ぐ連結部６とが一体となっているものである。そして、第一、第二筒形成部４、５それぞれにあっては、第一の方向Ａに巻いて両端部分に開口した透孔７の位置を重ね合わせたときに筒形態となるもので、第一筒形成部４では、親指一本の差し入れができる筒形態となり、第二筒形成部５では、指二本（例えば、人差し指と中指）の差し入れができる筒形態となるように設けられている。前記連結部６はミトンとしたときに親指と人差し指の間の股部分に対応するだけの幅を有するもので、第一の方向Ａにおいて細幅とされていて、これによってシート状物２は全体として略エ字状とされている。
【０００７】
また、上記筒形状維持手段３は共に合成樹脂製である第一のクリップ８と第二のクリップ９からなるもので、それぞれ上記透孔７を通るボス状の雄ネジを有した雄釦１０と、透孔７を通り、かつ前記雄釦１０の雄ネジの押し込み嵌合により係合し雄ネジの外し方向での雄釦１０の回転により係合解除となる雌ネジを有した雌釦１１とから構成されている。
ミトンを組むに際しては第一筒形成部４と第二筒形成部５とをそれぞれ第一の方向Ａに巻いて両端部分の透孔７の位置を重ね合わせ、上記筒形状維持手段３の第一のクリップ８を用いて第一筒形成部４での両端部分を止め付け、同様にして第二のクリップ９を用いて第二筒形成部５での両端部分を止め付ければよく、第一筒形成部４が指一本の差し入れができる筒形態となり、第二筒形成部５が指二本の差し入れができる筒形態となったミトンとなる。図２においては筒形態の部分それぞれを指に装着することで連結部６が屈曲したミトンを示している。そして、上記第一、第二のクリップ８、９での雄釦１０と雌釦１１とを分離することで第一、第二筒形成部４、５が開いて元の略エ字状のシート状物２となる。
なお、第一、第二のクリップ８、９は区別する必要はなく、同一のものを用いればよい。
また、実施の形態ではシート状物をシリコンゴムシートからなるものとして説明したが、これに限定されるものではなく、例えば耐熱性があって柔軟な布材料からなるものであってもよい。
【図面の簡単な説明】
【０００８】
【図１】本考案に係るミトン展開体の一例を示す説明図である。
【図２】一例から組んだミトンの形態を示す説明図である。
【図３】従来例を示す説明図である。
【図４】同じく従来例を示す説明図である。
【符号の説明】
【０００９】
１…ミトン展開体
２…シート状物
３…筒形状維持手段
４…第一筒形成部
５…第二筒形成部
６…連結部
７…透孔
８…第一のクリップ
９…第二のクリップ
１０…雄釦
１１…雌釦
Ａ…第一の方向
【図１】
0003127632.tif 000003
【図２】
0003127632.tif 000004
【図３】
0003127632.tif 000005
【図４】
0003127632.tif 000006